(57)【特許請求の範囲】
【請求項１】
六面体の天板、天板の両側に連設された側板、両側の側板に連設された底板のそれぞれに六面体を半々に分割可能な切断線が形成され、
天板には切断線を挟んで六面体の分割後の小分けした包装箱の開口側に折り曲げて収納品の飛び出しを防止する押さえ板が形成されるとともに、天板の両側板側の折曲線がミシン目からなる切断線で形成され、
天板及び底板の蓋板がそれぞれの側板の蓋板に貼着されて包装箱内に収納されている収納品が目視できる枠状の蓋が形成され、
側板の切断線の天板側には、六面体の分割後に開口側に折り曲げられた押さえ板を上から押さえる押さえ片が切断線を跨いで対向して形成され、
側板の切断線の底板側には、六面体の分割後に収納品の飛び出しを防止する下部押さえ片が切断線を跨いで対向して形成されていることを特徴とする小分け可能な包装箱。
【請求項２】
天板の切断線がジッパーであることを特徴とする請求項１記載の小分け可能な包装箱。
【請求項３】
ジッパーには、側板と貼着する天板の貼着片側に摘み片が形成されていることを特徴とする請求項２に記載の小分け可能な包装箱。
【発明の詳細な説明】
【技術分野】
【０００１】
本発明は、紙パック入り商品などを複数個収納する包装箱に関し、特に分割して小分けできる包装箱に関する。
【背景技術】
【０００２】
牛乳あるいはジュース類が入った紙パックなどは、数ダースあるいは複数個まとめて段ボール製の包装箱に入れられて搬送されている。例えば、１ダース（１２パック）入りの包装箱を搬送している場合、納入先によっては、例えば、半分の６パック、あるいはそれ以下のパックが必要となる場合がある。そこで、包装箱を小分けできるように分割可能にした包装箱が知られている（特許文献１、２参照）。
【０００３】
前記特許文献１に記載された包装箱は、図６（ａ）、図６（ｂ）に示すように、段ボール製の外装体３１のブランクと中仕切体３２のブランクとからなる。中仕切体３２の両仕切板３３，３３を折り重ねて仕切壁３４を形成し、外装体３１に貼着する。次いで、物品を収納した後、外装体３１の各蓋板３５を折り曲げ、その先端部同士を仕切壁３４上で寄せ合わせ、各耳片３６を中仕切体３２の上部にそれぞれ貼着し、接合片３７を他方の蓋板３５に貼り付ける。
【０００４】
この包装箱を２つの小箱に分割するには、図６（ｃ）に示すように、接合片３７を切取線３８に沿って切り取りつつ蓋板３５から剥がし、両仕切板３３，３３を分離すると共に、切端部３９を切り取り、底切手段４０に沿って底板４１を破断する。
【０００５】
前記特許文献２記載された包装箱は、図７（ａ）、図７（ｂ）に示すように、段ボール箱４１は、複数の小箱４２が単一の連結天板４３により連結され、各小箱４２は、その対向する側壁４４を互いに隣接させて配列されている。また、連結天板４３は、各小箱４２の開放された上部を閉塞する蓋板部４５と、蓋板部４５の両側端縁から下方に垂直に折り曲げ形成された一対の連結片４６とによって構成されている。
【０００６】
蓋板部４５には、各小箱４２を分離するための破断部４９の中央位置に表裏貫通して切り込まれたＨ状カット部５０が形成され、Ｈ状カット部５０を手がかりとしてカットテープ４８による破断が開始できるようになっている。破断部４９においては、切れ目５１から連結片４６の先端縁近傍にかけてカットテープ４８による破断を案内するジッパー５２が形成されている。連結天板４３の裏面側には、両小箱４２の境界に対応して帯状のカットテープ４８が貼着され、それによりカットテープ４８に沿った破断部４９が形成されている。
【０００７】
連結天板４３の連結片４６は、両小箱４２の側壁４７に接着され、両小箱４２を一体に連結する。
【０００８】
以上の構成による段ボール箱４１を小箱４２に分割するには、図７（ｃ）に示すように、Ｈ状カット部５０を把持してカットテープ４８を引き上げることにより、破断部４９に沿ってカットテープ４８による破断が開始される。さらにカットテープ４８を引っ張ることによって破断がジッパー５２に沿って進行し、一対の小箱４２に分割される。
【先行技術文献】
【特許文献】
【０００９】
【特許文献１】実用新案登録第３０５５９４５号公報
【特許文献２】特開２００２−３２１７３２号公報
【発明の概要】
【発明が解決しようとする課題】
【００１０】
前記特許文献１に記載された包装箱は、外装体のブランクの他にさらに中仕切体のブランクも必要となるためにブランク数が多くなるだけでなく、両ブランクの加工に手間がかかる。さらに外装体及び中仕切体を合体させて組み立てるため工程が複雑になって、手間がかかるという問題がある。
【００１１】
また前記特許文献２に記載された包装箱は、複数の小箱とカットテープを備えた連結天板を別途用意し、これらを連結しなければならないので、小箱と連結天板の材料を多く必要とし、その準備と組立に手間がかかるという問題がある。
【００１２】
そこで、本発明は、一枚のブランクから容易に製造できるとともに、分割後の小分けした包装箱から収納品の飛び出しを防止可能な包装箱を提供するものである。
【課題を解決するための手段】
【００１３】
本願の請求項1の発明は、六面体の天板、天板の両側に連設された側板、両側の側板に連設された底板のそれぞれに六面体を半々に分割可能な切断線が形成され、天板には切断線を挟んで六面体の分割後の小分けした包装箱の開口側に折り曲げて収納品の飛び出しを防止する押さえ板が形成されるとともに、天板の両側板側の折曲線がミシン目からなる切断線で形成され、天板及び底板の蓋板がそれぞれの側板の蓋板に貼着されて包装箱内に収納されている収納品が目視できる枠状の蓋が形成され、側板の切断線の天板側には、六面体の分割後に開口側に折り曲げられた押さえ板を上から押さえる押さえ片が切断線を跨いで対向して形成され、側板の切断線の底板側には、六面体の分割後に収納品の飛び出しを防止する下部押さえ片が切断線を跨いで対向して形成されていることを特徴とする小分け可能な包装箱である。
【００１４】
本願の請求項２の発明は、天板の切断線がジッパーであることを特徴とする請求項１記載の小分け可能な包装箱である。
【００１５】
本願の請求項３の発明は、ジッパーには、側板と貼着する天板の貼着片側に摘み片が形成されていることを特徴とする請求項２に記載の小分け可能な包装箱である。
【発明の効果】
【００１７】
本願請求項１の発明では、小分け後の箱の開口部に押さえ板、押さえ板を押さえる押さえ片、下部押さえ片が形成されるので、小分け後の箱の運搬等の取扱中に収納品の飛び出しを防止することができる。
【００１８】
また、一枚のブランクから小分け後の箱に形成される開口部に押さえ板、下部押さえ片が形成できるので、仕切り板を必要とせず、また、複数の小箱を準備することなく、少ない材料で且つ簡単な工程により小分け可能且つ収納品飛び出し防止手段付きの包装箱が得られる。
【００１９】
本願請求項２の発明では、天板の切断線がジッパーであることから、包装箱を簡単に分割可能となる。
【００２０】
摘み片を摘んで引き上げることによりジッパーを容易に切り取ることができる。
本願請求項４の発明では、ミシン目からなる切断線６により天板１が容易に除去できるので、小分け後の箱から収納物を取り出し易くなる。
【図面の簡単な説明】
【００２１】
【図１】本発明の包装箱を展開した板紙の平面図である。
【図２】本発明の包装箱の折り曲げ途中を示す斜視図である。
【図３】本発明の包装箱を示す斜視図である。
【図４】本発明の包装箱を分割した状態を示す斜視図である。
【図５】本発明の小分けした包装箱を示す斜視図である。
【図６】従来の包装箱の例を示す斜視図である。
【図７】従来の包装箱の別の例を示す斜視図である。
【発明を実施するための形態】
【００２２】
本発明の実施例について図を参照しながら説明する。
【実施例１】
【００２３】
包装箱は６面体で構成され、包装箱を展開した厚紙あるいは段ボールからなるブランクは、図１に示すように、天板１、天板の両側に連設された第１の側板２及び第２の側板４、第１の側板２及び第２の側板４が連設された底板３が、折曲線５を介して順次一体に連設されている。なお、天板１の折曲線は、包装箱の小分け後に中身を取り出す際に分割された天板１を除去し易いようにミシン目からなる切断線６で形成してもよい。
【００２４】
天板１、第１の側板２、底板３及び第２の側板４のそれぞれの上辺及び下辺には、ブランクを折り曲げて四角筒にした際、四角筒の両端に形成される開口部２０（図３参照）を塞ぐ枠状の蓋を形成するための蓋板７ａ〜７ｄが連設されている。天板１及び底板３の蓋板７ａ，７ｃがそれぞれ側板２及び第２の側板４の蓋板７ｂ，７ｄに貼着されて枠状の蓋に形成される。枠状の蓋にすることにより、包装箱内に収納されている収納品が目視できるようにしている。
【００２５】
天板１の側辺には、ブランクを四角筒に折り曲げて第２の面板４に貼着する貼着用板８が連設されている。貼着用板８には、後述するジッパー９の摘み片１０が２列の切断線１１を介して切り離し可能に形成されている。
【００２６】
天板１、第１の側板２、底板３及び第２の側板４には、上下に２分割するスリット状の切断線１２が上下部を接続する容易に切り離し可能な接続部１３を介して間隔をおいて形成されている。
【００２７】
天板１には、ジッパー９を挟んで押さえ板１４が対向して折曲線１５を介して形成されている。ジッパー１１を切除後、押さえ板１４を開口部２０に向けて下方に折り曲げることにより、小分けした箱の取扱中に、収納されている収納品が箱の開口部２０から飛び出すのを防止する。
【００２８】
第１の側板２の天板１側には、中央線の切断線１２を挟んで折り曲げられた押さえ板１４を上から押さえる２個の押さえ片１６が円弧状の切断線１７を介して折り曲げ可能に形成されている。
【００２９】
第２の側板４にもブランクを四角筒に折り曲げた際に天板１側には、第１の側面板２と同様に、中央線の切断線１２を挟んで折り曲げられた押さえ板１４を上から押さえる２個の押さえ片１６が円弧状の切断線１７を介して折り曲げ可能に形成されている。
【００３０】
さらに第１の側板２及び第２の側板４と底板３とには、中央線の切断線１２を挟んで底板３との折り線５を横切る平行な２本の直線状の切断線１８により２個の下部押さえ片１９が形成される。下部押さえ片１９は、下から開口部２０の内側に押し上げて切り起こして段部を形成することにより、収納品の下部を押さえて小分けした箱の開口部から収納品の飛び出しを防ぐストッパーとなる。
【００３１】
本発明の包装箱の組立は紙パックの箱詰めラインで自動的に行われる。図２〜図５において、紙パックの搬送ラインから所定量の紙パックがブランクの上に載せられると、天板１、第１の側板２、底板３、第２の側板４を折曲線５に沿って折り曲げられ、貼着用板８が第２の側板４の上に貼着されて四角筒が形成され、次いで天板１及び底板３の蓋板７ａ，７ｃがそれぞれ側板２及び第２の側板４の蓋板７ｂ，７ｄに貼着されて枠状の蓋に形成される。
【００３２】
紙パックが箱詰めされた包装箱は、納入先に搬送されて納入される。納入量が包装箱の半分あるいはそれ以下の量が必要となった場合には、ジッパー９の摘み片１０をつまんで引き上げてジッパー９を切り離し、さらに中央線の切断線１２に沿って切断して包装箱を２分割して小分けする。
【００３３】
小分けした箱の開口部２０に向けて押さえ板１４を折り曲げ、押さえ片１６を下から押し上げて切断線に沿って切り起こして押さえ板１４を押さえるとともに、下部押さえ片１９を起こして段部を形成して収納品の飛び出しを防ぐことが可能となる。
【符号の説明】
【００３４】
１：天板            ２：第１の側板
３：底板            ４：第２の側板
５：折曲線          ６：切断線
７ａ〜ｄ：蓋板      ８：貼着用板
９：ジッパー      １０：摘み片
１１：切断線        １２：切断線
１３：接続部        １４：押さえ板
１５：折曲線        １６：押さえ片
１７：切断線        １８：切断線
１９：下部押さえ片  ２０：開口部
３１：外装体        ３２：中仕切体
３３：仕切板        ３４：仕切壁
３５：蓋板          ３６：耳片
３７：接合片        ３８：切取線
３９：切端部        ４０：底切手段
４１：段ボール箱    ４２：小箱
４３：連結天板      ４４：側壁
４５：蓋板部        ４６：連結片
４７：側壁          ４８：カットテープ
４９：破断部        ５０：Ｈ状カット部
５１：切れ目        ５２：ジッパー
【図１】
0005737652.tif 000002
【図２】
0005737652.tif 000003
【図３】
0005737652.tif 000004
【図４】
0005737652.tif 000005
【図５】
0005737652.tif 000006
【図６】
0005737652.tif 000007
【図７】
0005737652.tif 000008